(57)【要約】【課題】基材に積層部を形成した複層板において、層間剥離することのない端部処理された複層板を提供すること。【解決手段】熱可塑性樹脂からなる基材１１と、該基材１１に積層一体化された積層部１２と、からなる複層構造を有し、縦断面視、前記基材１１の端部１１４が前記積層部１２側に向けて起立している端部構造を備えることで、前記基材１１と前記積層部１２とが層間剥離することのない端部処理された複層板１とすることができる。【選択図】図２
2007331389.tif 000002
【特許請求の範囲】
【請求項１】
熱可塑性樹脂からなる基材と、該基材に積層一体化された積層部と、からなる複層構造を有し、縦断面視、前記基材の端部が前記積層部側に向けて起立している端部構造を備える複層板。
【請求項２】
前記端部構造において、起立した前記端部の先端が前記積層部の端部よりも上方に位置していることを特徴とする請求項１に記載の複層板。
【請求項３】
前記端部構造において、起立した前記端部が前記積層部の表層側へ傾斜していることを特徴とする請求項１又は２に記載の複層板。
【請求項４】
前記基材は、連続的に形成された中空構造を有することを特徴とする請求項１〜３のいずれか一項に記載の複層板。
【請求項５】
前記起立した前記端部における起立根元部分の積層部側の表面と、前記積層部の端部との間の距離が、２．０ｍｍ以下であることを特徴とする請求項１〜４のいずれか一項に記載の複層板。
【請求項６】
前記基材は、中空リブ構造が連続形成されたダンボール構造を有することを特徴とする請求項１〜５のいずれか一項に記載の複層板。
【請求項７】
前記積層部は、熱可塑性樹脂からなる不織布であることを特徴とする請求項１〜６のいずれか一項に記載の複層板。
【請求項８】
車両の内装用部材に用いられることを特徴とする請求項１〜７のいずれか一項に記載の複層板。
【請求項９】
熱可塑性樹脂からなる基材と、該基材に積層一体化された積層部と、からなる複層構造を有する平板から所定形状の複層板を製造する方法であって、
前記平板を所定形状に切断加工する際に、
縦断面視、前記基材の端部が前記積層部側に向けて起立している端部構造が形成される
ことを特徴とする複層板の製造方法。
【請求項１０】
切断用の打抜き刃と、該打抜き刃との間に間隙を形成して配置された加熱押圧部と、か
らなる切断加工部材を用いて前記切断加工を行う際に、
前記加熱押圧部により加熱溶融された前記基材を前記間隙に導入することによって、前記端部構造を形成されることを特徴とする請求項９に記載の複層板の製造方法。
【発明の詳細な説明】
【技術分野】
【０００１】
本発明は、端部処理された複層板に関する。より詳しくは熱可塑性樹脂に積層部が形成
された複層板の端部が処理された複層板、並びにその製造方法に関する。
【背景技術】
【０００２】
合成樹脂により作られる板材は、成形容易性、軽量性、耐水性、保温・断熱性などに優れているため、各種装置類の部材、ケース類、トレー類、パネルや内装壁などの建築部材などをはじめとして幅広く用いられている。
【０００３】
そして、このような樹脂板の表面に不織布、織布、紙、フィルム、高発泡樹脂などの積層部を形成させることで、緩衝性、手触り性などの各種機能性を付与した複層板も活用されている（特許文献１参照）。また、前記樹脂板に前記積層部を形成する手段としては、接着剤による接着方法や、熱可塑性樹脂を熱融着させる方法などが用いられている。
【０００４】
しかし、前記複層板を所望の形状にするため、前記複層板をカットしたり、くり抜いたりする場合には、その切断面の処理が重要となる。該切断面が鋭利であれば取り扱い上の安全性が問題となる。そして、前記複層板の切断面の端部が不揃いであったり、接着不十分であったりすれば、その積層界面から層間剥離が生じるため問題となる。加えて、前記複層板の端部が不揃いであることは意匠性の点からも好ましくない。
【０００５】
さらに、前記複層板がハニカム構造などの中空構造である場合には、塵埃や雨水や洗浄液などの異物が前記複層板の開口端部から内部へ侵入する。従って、前記異物の前記樹脂板内部への侵入を防止する点（防塵性）からも、中空構造である複層板では、特に、その端部を処理する必要がある。
【０００６】
これらの問題に対して、特許文献１には前記積層部として装飾布を前記樹脂板の反対側の表面に折り返し状に張り付ける技術が開示されている。この技術は、前記装飾布の種類、引っ張り強度及び目付重量などを特定することにより、折り返し状に張っても前記装飾布の折り返し縁部が破断することを防止するものである。
【０００７】
【特許文献１】特開平９―５７８２６号公報。
【発明の開示】
【発明が解決しようとする課題】
【０００８】
しかし、前記積層部を樹脂板の反対側表面に折り返し状に張る場合でも、いくつかの問題を有する。まず、あらかじめ樹脂板と積層部を別々にカットする工程と、張り合わせる工程とが必要になることや、折り返し部分の長さだけ余分に前記積層部が必要となることから経済的でない。さらに、前記折り返し部分の剥離を防止するための処理工程が別途必要となることや、折り返される前記積層部の位置決めが容易ではなく、前記積層部の種類によって引っ張る強度や目付重量なども異なる点で作業工程が複雑となる。
【０００９】
一方、端部が外側へ細長く突出した形状や、逆に内部に細いスリット状や入り組んだ形状で内側に入り込んでいる形状の場合や、幅の細いくり抜き形状の場合などにおいては、積層部の折り返し部分が重なることから折り返しをすることが難しく、また、前記の剥離防止処理工程も施しにくくなり、作業が非常に難しくなってしまう。
【００１０】
以上より、本発明は、前記複層板の端部において、層間剥離することのない端部処理された複層板を提供することを主目的とする。
【課題を解決するための手段】
【００１１】
まず、本発明は、熱可塑性樹脂からなる基材と、該基材に積層一体化された積層部と、からなる複層構造を有し、縦断面視、前記基材の端部が前記積層部側に向けて起立している端部構造を備える複層板を提供する。これにより、前記複層板の、特に端部からの層間剥離を防止できる。
【００１２】
次に、本発明は、前記端部構造において、起立した前記端部の先端が前記積層部の端部よりも上方に位置している端部構造を備える複層板を提供する。前記端部の先端が、前記積層部の端部の上方に位置することで、前記積層部のめくれ返りなどを抑えることができるため、効果的に層間剥離を防止できる。
【００１３】
続いて、本発明は、前記端部構造において、起立した前記端部が前記積層部の表層側へ傾斜している端部構造を備える複層板を提供する。これにより、より効果的に層間剥離などを防止できる。
【００１４】
そして、本発明は、前記基材は連続的に形成された中空構造を有する複層板を提供する。本発明では、内実構造の基材に限らず、このような中空構造を有する基材であっても、端部処理を施すことができる。そして、前記基材が連続的に形成された中空構造であるためより軽量な複層板とすることができる。また、中空部分を有するため断熱性に優れた複層板とすることもできる。
【００１５】
さらに、本発明は、前記起立した前記端部における起立根元部分の積層部側の表面と、前記積層部の端部との間の距離が、２．０ｍｍ以下である複層板を提供する。前記基板の起立した端部の起立根元部分と、前記積層部の端部との間に、２．０ｍｍ以下の隙間を設けることで、複層板の端部の強度を高めることができる。
【００１６】
そして、本発明は、前記基材は中空リブ構造が連続形成されたダンボール構造である端部処理された複層板を提供する。本発明では、前記中空構造として、簡易な構造であるダンボール構造の複層板とすることができる。
【００１７】
さらに、本発明は、前記積層部は熱可塑性樹脂からなる不織布である端部処理された複層板を提供する。このような複層板であれば、より効果的に前記複層板の層間剥離などを防止できる。
【００１８】
そして、本発明では、車両の内装用部材に用いられる端部処理された複層板を提供する。前記端部構造を有する複層板を車両の内装用部材として使用することで、車両内装の質感などを向上させることができる。
【００１９】
また、本発明では、熱可塑性樹脂からなる基材と、該基材に積層一体化された積層部と、からなる層構造を有する平板から所定形状の複層板を製造する方法であって、前記平板を所定形状に切断加工する際に、縦断面視、前記基材の端部が前記積層部側に向けて起立している端部構造が形成される複層板の製造方法を提供する。前記基材の端部を、前記積層部側に向けて起立させることにより、前記複層板の層間剥離を防止できる。
【００２０】
さらに、本発明では、切断用の打抜き刃と、該打抜き刃との間に間隙を形成して配置した加熱押圧部と、からなる切断加工部材を用いて切断加工を行う際に、前記加熱押圧部により加熱溶融された前記基材を前記間隙に導入することによって前記端部構造を形成する複層板の製造方法を提供する。このように、前記打抜き刃と前記加熱押圧部との間に間隙を設けることで、前記加熱溶融された前記基材を前記間隙に導入できる。
【発明の効果】
【００２１】
本発明に係る端部処理された複層板によれば、基材と積層部が層間剥離することのない複層板とすることができる。
【発明を実施するための最良の形態】
【００２２】
以下、本発明を実施するための好適な形態について、添付図面を参照しながら説明する。図面に示された実施形態は本発明の好適な実施形態を例示したものであり、これにより本発明が狭く解釈されることはない。
【００２３】
図１は、本発明に係る端部処理された複層板の第１実施形態の平面図である。図２は、図１のＸ−Ｘ´線に沿う平面において切断した断面斜視図であり、図３は、図２の端部ａ部の拡大側面図である。図４は、図１のＹ−Ｙ´線に沿う平面において切断した断面斜視図であり、図５は、図４の端部ｂ部の拡大側面図である。
【００２４】
この図１、図２、図３、図４、図５に示された符号１は、端部処理された複層板を表している。前記端部処理された複層板１は、基材１１と積層部１２とから構成されている。前記基材１１は、ベルトや紐などを通過させる貫通口１１５，１１６を有している。前記積層部１２の端部は基材１１の端部１１４によって積層体１の四周を端部処理され、前記貫通口１１５，１１６についても基材１１の端部１１７，１１８によって端部処理されている（図１参照）。
【００２５】
図２では、図１のＸ−Ｘ´線に沿う平面において切断し、側面視、前記基材１１は、所定間隔で併設したリブ１１１を部材１１２，１１２で挟持している。即ち、基材１１は中空リブ構造１１３が連続形成されたダンボール構造であり、前記リブ１１１は基材１１内を矢印Ａ方向に走っている（図１、図２参照）。また、前記複層板１の端部ａ部は、リブ方向Ａに沿って端部処理された端部である（図２参照）。
【００２６】
前記複層板１の端部ａ部は、前記基材１１の端部１１４が前記積層部１２側に向けて起立して、前記端部１１４が前記積層部１２の表層部１２１側へ傾斜するとともに、前記端部１１４の先端が積層部１２の端部１２２よりも上方に位置している端部構造である（図３参照）。前記端部１１４は、前記複層板１を切断加工する際に、該複層板１の端部が矢印Ｓ方向（図２参照）から加熱押圧されたことで形成されたものである。従って、前記端部１１４はいわゆるバリなどとは異なるものである。即ち、本発明によれば、前記リブ方向Ａ（図１、図２参照）に平行する端部ａ部（図２参照）について端部処理を施すことができる。
【００２７】
図４では、図１のＹ−Ｙ´線に沿う平面において切断し、側面視、切断面は前記基材１１のリブ１１１である。そして、前記複層板１の端部ｂ部は、前記リブ方向Ａと略直交方向Ｂ（図１、図４参照）に沿って端部処理されたものである。
【００２８】
前記複層板１の端部ａ部は、前記基材１１の端部１１４が前記積層部１２側に向けて起立して、前記端部１１４が前記積層部１２の表層部１２１側へ傾斜するとともに、前記端部１１４の先端が積層部１２の端部１２２よりも上方に位置している端部構造である（図５参照）。前記基材１１の端部１１４は、前記複層板１を切断加工する際に、該複層板１の端部が矢印Ｓ方向（図３参照）から加熱押圧されたことで形成されたものである。本発明によれば、前記リブ方向Ａと略直交方向Ｂ（図１、図２参照）に平行する端部ｂ部（図４参照）についても端部処理を施すことができる。従って、本発明によれば、複層板の四周を端部処理された複層板１を製造することができる。
【００２９】
さらに、本発明の端部処理は、複層板１の外縁端部を処理することに限定されない。例えば、図１に示すように、前記複層板１の表面を打抜くことによって形成された貫通口１１５，１１６も、前記基材１１の端部１１７，１１８により端部処理できる（図１参考）。リブ方向Ａに沿って打抜かれた前記貫通口１１５は、基材１１の端部１１７によって端部処理されている。同様に、リブ方向Ａと略直交方向Ｂに沿って打抜かれた前記貫通口１１６は、基材１１の端部１１８によって端部処理されている。
【００３０】
また、前記複層板１の貫通口１１５，１１６に本発明の端部処理を施すことで、布や樹脂製のベルトなどを前記貫通口１１５，１１６に通す場合の摩擦を軽減できる。これにより、布やベルトが切れにくくなる。従って、本発明に係る端部処理された複層板１は、好適には、ベルトなどを通す自動車のトランクやラゲッジボードなどの各種車両の内装用部材などとして使用できる。
【００３１】
さらに、本発明の端部処理について、前記基材１１の端部１１４が、前記積層部１２側に向けて起立するとともに、前記端部１１４の先端が前記積層部１２の端部１２２よりも上方に位置する端部構造とすることで、効果的に前記複層板１の層間剥離などを防止できる（図３、図５参照）。起立した前記端部１１４を前記積層部１２の表層部１２１側へ傾斜させることで、より効果的に前記複層板１の層間剥離などを防止できる（図３、図５参照）。即ち、本発明の端部処理によれば、基材１１の端部１１４がしっかりと積層部１２の端部を押さえることができるため、積層部１２の端部が基材１１から剥離しにくくなる。
【００３２】
そして、本発明に係る複層板１の構造については特に限定されず、例えば、内実構造であってもよいが、好適には、中空リブ構造１１３が連続形成されたダンボール構造であることが望ましい。このような端部処理を施した複層板１とすることで前記中空リブ構造１１３への異物の侵入を防止できるため、防塵性も付与できるからである。また、本発明では、中空構造の形状について限定されない。例えば、図１に示す中空リブ構造が連続形成されたダンボール構造でもよいし、リブが波板状であるライナーが走っていることで形成された中空構造でもよい。
【００３３】
即ち、本発明に用いる基材１１は、内実構造の板材や、中空構造であるダンボール構造の板材に限定されない。従って、本発明では、基材１１として、連続的に形成された中空構造を有する板材を用いることができる。本発明に係る端部処理は、少なくとも、基材１１の端部１１４を前記積層部側１２１に向けて起立させるという簡易な構造でありながら、基材１１と積層部１２との層間剥離を防止できるため、複層板１の用途などを考慮して、適宜、好適な中空構造の基材１１を用いることができるからである。
【００３４】
さらに、本発明では、基板１１の起立した端部１１４における起立根元部分の積層部側１２１の表面と、前記積層部１２の端部１２２との間に隙間Ｌ１を有することが望ましい。
かかる隙間Ｌ１を設けることで、熱可塑性樹脂製である端部１１４によって縁取り（端部処理された）状態であり、端部の強度性を向上させることができる点などで好適である。
【００３５】
そして、本発明では、前記距離Ｌ１が、２．０ｍｍ以下、より好適には１．０ｍｍ以上２．０ｍｍ以下であることが望ましい。上限値２．０ｍｍより大きければ、複層板１の端部強度が低下する傾向が強くなる。さらに、下限値１．０ｍｍ以上であれば、複層板１の端部強度をより強くできるため、種々の用途に用いる場合であっても十分な端部強度が得られる点でより望ましい。また、かかる構造の端部構造であれば、複層板１の端部形状による制限を受けないため、適宜、所望する形状に複層板１を加工・成形できる点でも望ましい。
【００３６】
加えて、本発明に用いられる基材１１については、熱可塑性樹脂であればよく、その素材などについては特に限定されない。例えば、ポリプロピレン、ポリエチレン、ポリスチレン、ポリエチレンテレフタレート、ポリ塩化ビニル、メタクリル樹脂などであってもよい。あるいは、アクリロニトリル‐スチレン樹脂、アクロリニトリル‐ブタジエン‐スチレン樹脂などの共重合体であってもよい。特に、基材１１に硬度、耐熱性、耐久性などを付与したい場合には、ポリプロピレン樹脂やポリカーボネート樹脂などが好適である。
【００３７】
また、本発明の積層部１２については、その素材などは限定されない。即ち、前記複層板１の用途に応じて、所望の機能性を有する積層部１２を選択できる。例えば、自動車のトランクやラゲッジボードや建築物の内装部材として使用する際には、手触り性に優れた不織布を積層部１２とすればよい。あるいは、野外用のパネル類として使用する際には、防水性、防音性、耐候性、断熱性などを有する積層部１２とすればよい。また、前記積層部１２に有色樹脂などを用いることで意匠性を向上させてもよい。さらには、機能性塗料を塗布することによって積層部１２が形成されてもよい。
【００３８】
そして、本発明に用いられる積層部１２の素材についても、特に限定されない。前記のような不織布や上質紙や合成紙などの紙類でもよいし、ポリエチレンテレフタレート、ポリプロピレン、ポリエステル、ポリ塩化ビニルなどの合成樹脂でもよい。好適には、前記積層部１２の素材も熱可塑性樹脂であることが望ましい。前記基材１１との層間剥離をより効果的に防止できるためである。
【００３９】
また、前記積層部１２が合成樹脂である場合には、前記基材１１の溶融温度や、該基材１１との相溶性などを考慮して樹脂を選択することが望ましい。具体的には、前記積層部１２の熱可塑性樹脂の溶融温度が、前記基材１１の溶融温度よりも高いことが望ましい。前記基材１１の端部を加熱溶融する際に、その加熱により前記積層部１２が溶融したり、焦げたりして変質することを防止するためである。例えば、前記基材１１としてポリプロピレン樹脂を使用する場合であれば、前記積層部１２としてポリエチレンテレフタレート樹脂からなる不織布を使用する複層板１などが望ましい。
【００４０】
そして、前記積層部１２の熱可塑性樹脂の溶融温度について、下限値を前記基材１１の溶融温度よりも２０℃低い温度とし、上限値を前記基材１１の溶融温度となるように設定することで、端部周辺部分で前記積層部１２と前記基材１１を熱融着させることができる。この条件により端部処理を行うことによって、前記積層部１２と前記基材１１とを接着剤などであらかじめ接着する必要がなくなる。即ち、本発明の端部処理を施すことで、前記基材１１と前記積層部１２との層間剥離を防止することに加えて、前記接着剤により前記基材１１と前記積層部１２との接着を行う場合には接着剤の必要量の軽減化などにも寄与できる。
【００４１】
さらに、本発明に用いられる積層部１２は、単一層であることに限定するものではない。図示はしないが、複数の積層部１２を積層した多層構造としてもよい。例えば、積層部として緩衝効果を有する発泡体層の上に、耐摩耗性や防汚性に優れたフィルム層を積層した高耐久性の緩衝シートなどが挙げられる。
【００４２】
なお、端部処理される前記複層板１の基材１１と積層部１２との接着方法についても限定されない。例えば、接着剤を用いて前記基材１１と前記積層部１２とを接着した複層板１であってもよい。あるいは、前記積層部１２が熱可塑性樹脂である場合には、熱融着により前記基材１１と前記積層部１２とを接着した複層板１であってもよい。
【００４３】
そして、本発明に係る複層板１は、別途の資材等を用いて端部処理する必要もないため、経済的である。また、前記基材１１の端部１１４を起立させることで、剥離防止による意匠性の向上（外観の改良）だけでなく、複層板１の周縁端部で手を切ったりすることも防止できる。従って、複層板１における取り扱い上の安全性も向上させることができる。さらに、前記基材１１の起立させる端部１１４を、積層部１２の表面側１２１に傾斜させるかなどを調節することで、安全性をさらに向上させることもできる。
【００４４】
図６は、本発明に係る積層板の第２実施形態の端部の断面視した側面視拡大図である。
【００４５】
図６に示す符号２は、端部処理された複層板を表している。前記端部処理された複層板２は、側面視、連続して形成された中空構造の一例である。前記複層板２は、基材２１の一方の表面に不織布２２を積層させ、この端部を処理したものである。以下、第１の実施形態と共通する点については説明を割愛し、相違点を中心に説明する。
【００４６】
基材２１は、側面視、円錐台状の突起部が連なる形状の２枚の合成樹脂製のライナー２１１，２１１をその突起部の先端同士で接着させ、これに２枚の面材２１２，２１２で挟持した４層の中空ハニカム構造の基板である。基板２１の内部には複数の中空部分２１３が形成されている。
【００４７】
そして、基板２１の一方の表面に不織布２２を積層させて、端部処理を施すことで複層板２としている。基材２１の端部２１４を積層部表面側２２１に起立させることで、不織布２２の端部２２２を処理した状態である。詳しくは、基板２１の起立した端部２１４における起立根元部分の積層部側２２１の表面と、前記積層部２２の端部２２２との間に隙間Ｌ２が形成されている状態である。
【００４８】
なお、前述した第１の実施形態と同様の理由で、複層板２でも、基板２１の起立した端部２１４における起立根元部分の積層部側２２１の表面と、前記積層部２２の端部２２２との間に隙間Ｌ２を有することが望ましい。そして、前記距離Ｌ２が、２．０ｍｍ以下、より好適には１．０ｍｍ以上２．０ｍｍ以下であることが望ましい。
【００４９】
そして、複層板２は、側面視、連続して形成された中空構造であるため軽量である。また、前記複層板２は、中空部分２１３を有するため、断熱性に優れた複層板でもある。また、前記複層板２は、４層の中空ハニカム構造の基板２１であるため、中空構造でありながら、強度も優れた板材である点でも好適である。そして、中空構造であるため、基材２１に使用する熱可塑性樹脂の樹脂量も軽減できるため、より経済的な複層板である。
【００５０】
また、基材２１を孔加工（例えば、中空部分２１３を設けることなど）とすることで、特定の周波数域で良好な吸音性能を得ることもできる。その結果、防音性に優れた複層板２とすることもできる。例えば、基材２１に設ける孔径や孔数などを、適宜、調整することで、吸音する周波数域を調整することもできる。
【００５１】
本発明では、複層板２のように基材の中空構造を、適宜、工夫することで、より意匠性を向上させることができる。例えば、複層板２を加工・切断する場合などであっても、断面視した切り口は美観に優れているため、別途美観上の端部処理を必要とせずに、幅広い使用用途に用いることができる。
【００５２】
このように、本発明では、内実構造の基材に限らず、複雑な中空構造を有する基材などであっても、端部処理を施すことができる。従って、本発明は第１の実施形態に示すダンボール構造の基材に限らず、様々な中空構造の形態をとる基材にも容易に端部処理を施すことができる。
【００５３】
図７は、本発明に係る複層板の製造方法を説明するための概念図である。即ち、熱可塑性樹脂からなる基材１１と、該基材に積層一体化された積層部１２と、からなる複層構造を有する平板から所定形状の複層板１を製造する方法である。図７は、切断用の打抜き刃３１と加熱押圧部３２とを有する切断加工部材３によって前記積層板１を切断するとともに端部処理する工程を、経時的に説明するものである。即ち、前記打抜き刃３１と、該打抜き刃３１と間隙Ｌ３（図７参照）をおいて設けられた加熱押圧部３２とで、前記複層板１を所望の形状に切断してその端部処理を行う製造方法である。以下、図７に示された状態Ｉ、状態ＩＩ、状態ＩＩＩに沿って説明する。
【００５４】
図７の状態Ｉは、前記基材１１と積層部１２とからなる平板を、前記積層部１２上から前記打抜き刃３１が打抜こうとする状態である。前記切断加工部材３を矢印Ｓ方向（図７参照）に振り下ろすことで、前記積層部１２上から前記複層板１を打抜こうとするものである。即ち、矢印Ｓ方向から前記複層板１を圧しながら切断しようとしている状態である。そして、状態Ｉから前記切断加工部材３を矢印Ｓ方向（図７：状態Ｉ参照）に打ち下ろすことで状態ＩＩとなる。
【００５５】
図７の状態ＩＩは、前記平板が前記打抜き刃３１により完全に切断された状態である。そして、前記基材１１の端部１１４は、前記加熱押圧部３２により加熱溶融されて、前記打抜き刃３１と前記加熱押圧部３２との間隙Ｌ３に導入されている。これにより、前記端部１１４が起立している状態である。そして、状態ＩＩから前記切断加工部材３を矢印Ｔ方向（図７：状態ＩＩ参照）に引き上げることで状態ＩＩＩとなる。
【００５６】
図７の状態ＩＩＩは、前記切断加工部材３が完全に引き上げられ、端部処理された所定形状の複層板１が製造された状態である。そして、複層板１の端部は、起立した前記端部１１４（図７：状態ＩＩ参照）の先端が前記積層部１２の表層部１２１側へ傾斜しているとともに、前記端部１１４の先端が前記積層部１２の端部１２２よりも上方（矢印Ｔ方向：図７参照）に位置する端部構造となる。即ち、前記状態Ｉでは、前記切断加工部材３が矢印Ｓ方向（図７：状態Ｉ参照）に振り下ろされることで、溶融した前記基材１１の端部１１４が前記打抜き刃３１と加熱溶融部２２との間隙Ｌ３に入り込み、起立する。そして、前記状態ＩＩでは、前記切断加工部材３が矢印Ｔ方向（図７：状態ＩＩ参照）に引き上げられて、起立した前記端部１１４が前記積層部１２の表層部１２１側に傾斜する。  
【００５７】
以上より、本発明に係る複層板の製造方法によれば、前記複層板１の切断工程とその端部処理工程とを一工程で行うことができる。前記打抜き刃３１で複層板１を矢印Ｓ方向（図７：状態Ｉ参照）に打抜くとともに、前記打抜き刃３１と前記加熱押圧部３２との間隙Ｌ３の間に溶融した前記端部１１４が入り込む（図７：状態ＩＩ参照）。そして、前記打抜き刃３１と前記加熱押圧部３２とが矢印Ｔ方向（図７：状態ＩＩ参照）に引き抜かれると同時に、前記基材１１の端部１１４によって端部処理された状態となるからである（図７：状態ＩＩＩ参照）。
【００５８】
従って、本発明に係る複層板の製造方法によれば、前記複層板１の切断工程とその端部処理工程とを一工程で行うことができ、切断する形状についても限定されず、前記複層板１の種類に応じて煩雑な条件設定を行う必要もないため作業容易性に優れている。さらに、端部処理用として別途材料が不要であることなどから経済的である。
【００５９】
さらに、本発明に係る複層板の製造方法は、前記基材１１と前記積層部１２とからなる平板を所定形状に切断加工する際に、側面視、前記基材の端部１１４が前記積層部側に向けて起立されるとともに、前記基材１１の端部１１４の先端が前記積層部１２の端部１２２よりも上方に位置する端部構造を形成させるようにもできる（図７参照）。これにより、効果的に基材１１と前記積層部１２との層間剥離を防止する複層板１を製造できる。さらに、本発明に係る複層板の製造方法は、起立した前記端部１１４を前記積層部１２の表層部１２１側に傾斜させた端部構造を形成させるようにもできる（図７参照）。これにより、効果的に複層板１の層間剥離などを防止できる。
【００６０】
また、図示はしないが、本発明に係る複層板の製造方法は、必要に応じ、前記基材の端部１１４を前記積層部１２の表層部１２１側に傾斜させる工程を、別途、追加してもよい。この工程を行なうことで、積層部１２の端部のめくれ返りなどを、前記端部１１４によってより確実に抑えることができる。その結果、より確実に層間剥離しない複層板１とすることができる点で好適である。
【００６１】
この工程は、例えば、前記状態ＩＩ直後の端部１１４に対して、送風手段等によって傾斜をつける手段等を用いることができる。前記状態ＩＩ直後の端部１１４は、熱溶融した状態であるので、送風等によって、前記端部１１４を前記積層部１２の表層部１２１側に容易に傾斜させることができる。加えて、送風によって、前記複層板１の端部を冷却するとともに、端部１１４の形状などを整える効果も得ることもできる。なお、前記端部１１４を表層部１２１側に傾斜させる手段は、前記送風手段に限定されないことは勿論である。
【００６２】
なお、本発明に係る複層板の製造方法は、前記打抜き刃３１と前記加熱押圧部３２とが一体となった切断加工部材３を用いることに限定されない。そして、間隙Ｌ３の長さについても限定されない。所望する複層板１の端部構造や、切断と端部処理を施す複層板１の厚さや硬さ、あるいは前記基材１１の樹脂量や溶融温度などに応じて適宜間隙Ｌ３を調節すればよい。また、前記加熱押圧部３２の種類や形状などについても限定されないが、好適には、高熱伝導性部材からなるヒーターなどを備えることが望ましい。
【００６３】
例えば、前記端部１１４（図３、図５、図７参照）をしっかりと起立させて確実に端部処理したい場合などには、間隙Ｌ３を大きくすればよい。一方で、前記端部１１４を極細にして複層板１の側面を縁取らせて意匠性を高めたい場合などには、間隙Ｌ３を小さくすればよい。即ち、剥離防止効果の程度や意匠性などに応じて適宜間隙Ｌ３を調節することができる。
【００６４】
なお、本発明に係る複層板の製造方法は、複層板１の外縁を切断するものに限定されない。例えば、前記端部ａ、ｂに限らず、前記複層板１の表面を打抜いて前記貫通口１１５，１１６を有する複層板１を製造することもできる（図１、図２、図４、図７参照）。また、本発明に係る複層板の製造方法は、複層板１の形状について限定されない。例えば、前記複層板１の端部が外側へ細長く突出した形状であったり、内部に細いスリット状や入り組んだ形状で内側に入り込んでいる形状の場合であったり、幅の細いくり抜き形状であってもよい。
【００６５】
従って、前記複層板１を所望の形状に切断するためのうち抜き刃を設計しさえすれば、切断工程と同時にその端部も処理することができる。そして、本発明による端部処理は、積層部１２の折り返し部分の剥離防止の処理工程や、折り返される前記積層部１２の位置決め工程などの煩雑な工程も不要であるため、経済的でありながら作業も容易な製造方法である。特に、前記切断加工部材３によれば、その設計も容易であり操作も容易である。
【００６６】
また、本発明に係る複層板の製造方法は、図７に示されたような、積層部１２が単一層である複層板１を製造するものに限定されない。即ち、複数層からなる積層部１２を備える複層板１であってもよい。その際、前記積層部１２の厚さなどを考慮して、適宜、打抜き刃３１の好適な刃の長さなどを設定すればよい。
【００６７】
本発明に係る複層板の製造方法は、前記複層板１の構造に限定されないことは勿論であり、例えば、内実構造の複層板や、連続した種々の中空構造を有する複層板であっても製造することができる。従って、例えば、前記複層板２を、本発明に係る複層板の製造方法によって同様に製造できることもできる。
【産業上の利用可能性】
【００６８】
本発明に係る複層板は、車両用内装部材、看板・各種ディスプレー用部材、各種部材、種々のケースやトレー類、間仕切りや各種パーテンション類などのパネル類、防風板や採光用部材などの建築部材を構成する面材などとして広く利用できる。
【図面の簡単な説明】
【００６９】
【図１】本発明に係る積層板の第１実施形態の平面図である。
【図２】図１のＸ−Ｘ´線に沿う平面において切断した断面斜視図である。
【図３】図２の端部ａ部の拡大側面図である。
【図４】図１のＹ−Ｙ´線に沿う平面において切断した断面斜視図である。
【図５】図４の端部ｂ部の拡大側面図である。
【図６】本発明に係る複層板の第２実施形態の端部の断面視した拡大側面図である。
【図７】本発明に係る複層板の製造方法を説明するための概念図である。
【符号の説明】
【００７０】
１，２  複層板
１１，２１  基材
１２，２２  積層部
【図１】
2007331389.tif 000003
【図２】
2007331389.tif 000004
【図３】
2007331389.tif 000005
【図４】
2007331389.tif 000006
【図５】
2007331389.tif 000007
【図６】
2007331389.tif 000008
【図７】
2007331389.tif 000009